(57)【要約】      （修正有）【課題】抜け止め部が取り付け孔から抜けるのを抑制することが可能なスタンド部材用の滑り止めゴムを提供する。【解決手段】この滑り止めゴム１０では、引っ張り部１３は、抜け止め部１２の上面１２ａの長手方向（Ｘ１方向）の端部１２ｂの近傍にまで延びるように配置され、平面的に見て細長状のリブ部１３ａを含む。また、引っ張り部１３は、平面的に見て、リブ部１３ａの側面から抜け止め部１２の短手方向（Ｙ１方向）に突出するように、リブ部１３ａと一体的に設けられた突出部１３ｂを含む。また、回動部材３２の取り付け孔３２ｂには、当接部１４の外側上面部１４ｂが収納されている凹部３２ｃが設けられている。また、嵌め込み部１１は、嵌め込み部１１の長手方向（Ｘ１方向）の中心線Ｌ１が、平面的に見て、当接部１４の長手方向（Ｘ１方向）の中心線Ｌ２からスタンド部材３０の表面側に間隔Ｓを隔てた位置になるように配置されている。【選択図】図６
0003109834.tif 000002
【実用新案登録請求の範囲】
【請求項１】
液晶テレビジョンを支持するスタンド部材の取り付け孔に嵌め込まれる嵌め込み部と、前記嵌め込み部が前記スタンド部材の取り付け孔から抜けるのを防止する抜け止め部と、前記嵌め込み部が前記スタンド部材の取り付け孔に嵌め込まれる方向に引張られることにより、前記嵌め込み部を前記スタンド部材の取り付け孔に嵌め込む引っ張り部と、設置面に当接することにより前記液晶テレビジョンを支持するスタンド部材の位置ずれを抑制する当接部とを備えたスタンド部材用滑り止めゴムにおいて、
前記引っ張り部は、前記抜け止め部の上面の長手方向の端部近傍にまで延びるように配置され、平面的に見て細長状のリブ部を含み、
前記引っ張り部は、平面的に見て、前記リブ部の側面から前記抜け止め部の短手方向に突出するように、前記リブ部と一体的に設けられた突出部を含み、
前記スタンド部材の取り付け孔には、前記当接部の上面の一部が収納される凹部が設けられており、
前記嵌め込み部は、前記嵌め込み部の長手方向の中心線が、平面的に見て、前記当接部の長手方向の中心線から前記スタンド部材の表面側に所定の間隔を隔てた位置になるように配置されている、スタンド部材用滑り止めゴム。
【請求項２】
表示装置を支持するスタンド部材の取り付け孔に嵌め込まれる嵌め込み部と、
前記嵌め込み部が前記スタンド部材の取り付け孔から抜けるのを防止する抜け止め部と、
前記嵌め込み部が前記スタンド部材の取り付け孔に嵌め込まれる方向に引張られることにより、前記嵌め込み部を前記スタンド部材の取り付け孔に嵌め込む引っ張り部と、
設置面に当接することにより前記表示装置を支持するスタンド部材の位置ずれを抑制する当接部とを備え、
前記引っ張り部は、前記抜け止め部の長手方向に延びるように配置され、平面的に見て細長状のリブ部を含む、スタンド部材用滑り止めゴム。
【請求項３】
前記引っ張り部のリブ部は、前記抜け止め部の上面の長手方向の端部近傍にまで延びるように配置されている、請求項２に記載のスタンド部材用滑り止めゴム。
【請求項４】
前記引っ張り部は、平面的に見て、前記リブ部の側面から前記抜け止め部の短手方向に突出するように、前記リブ部と一体的に設けられた突出部をさらに含む、請求項２または３に記載のスタンド部材用滑り止めゴム。
【請求項５】
前記スタンド部材の取り付け孔には、前記当接部の上面の一部が収納される凹部が設けられており、
前記嵌め込み部は、前記嵌め込み部の長手方向の中心線が、平面的に見て、前記当接部の長手方向の中心線から前記スタンド部材の表面側に所定の間隔を隔てた位置になるように配置されている、請求項２〜４のいずれか１項に記載のスタンド部材用滑り止めゴム。
【考案の詳細な説明】
【技術分野】
【０００１】
本考案は、スタンド部材用滑り止めゴムに関し、特に、液晶テレビジョンなどの表示装置に用いられるスタンド部材用滑り止めゴムに関する。
【背景技術】
【０００２】
従来、表示装置や電子機器などの各種機器の設置面に当接する部分に設けられる滑り止め用ゴム足が知られている（たとえば、特許文献１参照）。上記特許文献１には、機器の底板の固定孔（嵌め込み孔）に嵌め込まれる軸部（嵌め込み部）と、固定孔（取り付け孔）から軸部が抜けるのを抑制するための円錐形状の抜け止め部とが設けられた携帯形自動車電話機の滑り止め用ゴム足が開示されている。
【０００３】
また、従来、表示装置の一例としての液晶テレビジョンを支持するスタンド部材の底部に、滑り止めゴムが装着された構造が知られている。図９は、従来の一例によるスタンド部材用の滑り止めゴムを備えた液晶テレビジョンの全体構成を示した側面図である。図１０は、図９に示した従来の一例による液晶テレビジョンに取り付けられる滑り止めゴムが装着されたスタンド部材の背面図である。図１１〜図１７は、図９に示した従来の一例によるスタンド部材用の滑り止めゴムの構造の詳細を示した図である。まず、図９〜図１７を参照して、従来の一例による滑り止めゴム１１０の構造について説明する。
【０００４】
従来の一例による液晶テレビジョン１５０は、図９および図１０に示すように、滑り止めゴム１１０が取り付けられたスタンド部材１３０に支持されている。
【０００５】
また、液晶テレビジョン１５０は、図９に示すように、フロントキャビネット１５１と、フロントキャビネット１５１に取り付けられる液晶表示ユニット１５２と、フロントキャビネット１５１とともに筐体を構成するリアキャビネット１５３とにより構成されている。
【０００６】
また、スタンド部材１３０は、図９に示すように、リアキャビネット１５３の背面１５３ａに取り付けられたベース部材１３１と、ベース部材１３１に回動可能に取り付けられた回動部材１３２とを含んでいる。ベース部材１３１には、図１０および図１１に示すように、回動部材１３２が回動可能に取り付けられる軸部１３１ａと、リアキャビネット１５３（図９参照）の背面１５３ａにベース部材１３１をねじ止めするためのねじ孔１３１ｂとが設けられている。また、回動部材１３２は、裏面に格子状に設けられた補強リブ部１３２ａと、底部に設けられ、滑り止めゴム１１０を取り付けるための取り付け孔１３２ｂとを含んでいる。
【０００７】
また、回動部材１３２に取り付けられている滑り止めゴム１１０は、図１２に示すように、嵌め込み部１１１と、抜け止め部１１２と、引っ張り部１１３と、当接部１１４とを含んでいる。嵌め込み部１１１は、図１５に示すように、回動部材１３２の取り付け孔１３２ｂに嵌め込まれる。また、抜け止め部１１２は、図１６に示すように、滑り止めゴム１１０に下方向の力Ｆ２が加わった際に、嵌め込み部１１１が回動部材１３２の取り付け孔１３２ｂから抜けるのを防止する機能を有する。この抜け止め部１１２は、嵌め込み部１１１が回動部材１３２の取り付け孔１３２ｂに嵌め込まれる方向（図１３および図１５のＺ２方向）に向かって、先細りするテーパー形状に形成されている。また、抜け止め部１１２の上面１１２ａは、図１４に示すように、長手方向（図１４のＸ２方向）に延びるように形成された端部１１２ｂを有する。また、引っ張り部１１３は、嵌め込み部１１１を回動部材１３２の取り付け孔１３２ｂに嵌め込む方向（図１５のＺ２方向）に引っ張る
ために設けられている。また、当接部１１４は、図９および図１５に示すように、設置面１７０に当接することにより液晶テレビジョン１５０を支持するスタンド部材１３０の回動部材１３２の位置ずれ（滑り）を抑制する機能を有する。この当接部１１４は、図１５に示すように、設置面１７０に当接する当接面１１４ａと、上面１１４ｂとを有する。また、当接部１１４は、図１４に示すように、平面的に見て、当接部１１４の長手方向の中心線Ｌ３と、抜け止め部１１２の長手方向の中心線Ｌ４とは、同じになるように配置されている。
【特許文献１】特開平１−２９７９４４号公報
【考案の開示】
【考案が解決しようとする課題】
【０００８】
図９〜図１７に示した従来の液晶テレビジョン１５０のスタンド部材１３０に装着される滑り止めゴム１１０では、滑り止めゴム１１０に力Ｆ２（図１６および図１７参照）が加わった際に、滑り止めゴム１１０の抜け止め部１１２が、抜け止め部１１２の長手方向（図１６および図１７のＸ２方向）の両方の端部１１２ｂが上方向に曲がりやすいという不都合があった。このため、図１７に示すように、力Ｆ２が加わった場合に、滑り止めゴム１１０の抜け止め部１１２がスタンド部材１３０の回動部材１３２の取り付け孔１３２ｂから抜けやすいという問題点があった。
【０００９】
また、上記特許文献１に開示された滑り止め用ゴム足では、滑り止め用ゴム足の円錐形状の抜け止め部の下端部の外周部は、厚みが小さいため、滑り止め用ゴム足に下方の力が加わった際に、抜け止め部の下端部の外周部が上方向に曲がりやすいという不都合がある。このため、滑り止め用ゴム足の抜け止め部が固定孔（取り付け孔）から抜けやすいという問題点がある。
【００１０】
この考案は、上記のような課題を解決するためになされたものであり、この考案の１つの目的は、抜け止め部が取り付け孔から抜けるのを抑制することが可能なスタンド部材用の滑り止めゴムを提供することである。
【課題を解決するための手段】
【００１１】
上記目的を達成するために、この考案の第１の局面におけるスタンド部材用滑り止めゴムは、液晶テレビジョンを支持するスタンド部材の取り付け孔に嵌め込まれる嵌め込み部と、嵌め込み部がスタンド部材の取り付け孔から抜けるのを防止する抜け止め部と、嵌め込み部がスタンド部材の取り付け孔に嵌め込まれる方向に引張られることにより、嵌め込み部をスタンド部材の取り付け孔に嵌め込む引っ張り部と、設置面に当接することにより液晶テレビジョンを支持するスタンド部材の位置ずれを抑制する当接部とを備えたスタンド部材用滑り止めゴムにおいて、引っ張り部は、抜け止め部の上面の長手方向の端部近傍にまで延びるように配置され、平面的に見て細長状のリブ部を含み、引っ張り部は、平面的に見て、リブ部の側面から抜け止め部の短手方向に突出するように、リブ部と一体的に設けられた突出部を含み、スタンド部材の取り付け孔には、当接部の上面の一部が収納される凹部が設けられており、嵌め込み部は、嵌め込み部の長手方向の中心線が、平面的に見て、当接部の長手方向の中心線からスタンド部材の表面側に所定の間隔を隔てた位置になるように配置されている。
【００１２】
この考案の第１の局面によるスタンド部材用滑り止めゴムでは、上記のように、引っ張り部に、抜け止め部の長手方向に延びるように配置され、平面的に見て細長状のリブ部を設けることによって、抜け止め部の長手方向端部が上方向に変形するのをリブ部により抑制することができるので、抜け止め部の長手方向の端部の上方向への変形に起因して嵌め込み部がスタンド部材の取り付け孔から抜けるのを抑制することができる。また、引っ張
り部に、抜け止め部の長手方向に延びる細長状のリブ部を設けることによって、嵌め込み部をスタンド部材の取り付け孔に嵌め込む際に、その長手方向に延びる細長状のリブ部が把持しやすいので、引っ張り部がより引っ張りやすくなる。これにより、嵌め込み部をスタンド部材の取り付け孔に、より嵌め込みやすくすることができる。また、引っ張り部のリブ部を、抜け止め部の上面の長手方向の端部近傍にまで延びるように配置することによって、抜け止め部の長手方向の端部の上方向への変形をより抑制することができるので、抜け止め部の長手方向の端部の上方向への変形に起因して嵌め込み部がスタンド部材の取り付け孔から抜けるのをより有効に抑制することができる。また、引っ張り部に、リブ部の側面から抜け止め部の短手方向に突出する突出部を設けることによって、抜け止め部の短手方向の端部の上方向への変形もその突出部により抑制することができるので、抜け止め部の短手方向の端部の上方向への変形に起因して嵌め込み部がスタンド部材の取り付け孔から抜けるのを抑制することができる。また、引っ張り部にリブ部のみならず突出部を設けることにより、その分、引っ張り部と抜け止め部との接合面積が増加するので、引っ張り部を上方向に引っ張ることにより嵌め込み部をスタンド部材の取り付け孔に嵌め込む際に、引っ張り部がちぎれるのをより抑制することができる。また、スタンド部材の取り付け孔に、当接部の上面の一部が収納されている凹部を設けることによって、当接部の上面が見えるのを抑制することができる。この場合、嵌め込み部の長手方向の中心線を当接部の長手方向の中心線からスタンド部材の表面側に所定の間隔を隔てて配置することによって、嵌め込み部の外側面からスタンド部材の表面側の当接部の外側面までの距離を小さくすることができる。これにより、当接部が、嵌め込み部の中心線に対して当接部のスタンド部材の表面側の上面が下方に曲がる方向に変形する場合に、嵌め込み部の外側面から当接部の外側面までの部分の変形量を減少させることができる。その結果、スタンド部材の表面側から当接部のスタンド部材の表面側の上面が見えるのをより抑制することができる。
【００１３】
この考案の第２の局面におけるスタンド部材用滑り止めゴムは、表示装置を支持するスタンド部材の取り付け孔に嵌め込まれる嵌め込み部と、嵌め込み部がスタンド部材の取り付け孔から抜けるのを防止する抜け止め部と、嵌め込み部がスタンド部材の取り付け孔に嵌め込まれる方向に引張られることにより、嵌め込み部をスタンド部材の取り付け孔に嵌め込む引っ張り部と、設置面に当接することにより表示装置を支持するスタンド部材の位置ずれを抑制する当接部とを備え、引っ張り部は、抜け止め部の長手方向に延びるように配置され、平面的に見て細長状のリブ部を含む。
【００１４】
この考案の第２の局面によるスタンド部材用滑り止めゴムでは、上記のように、引っ張り部に、抜け止め部の長手方向に延びるように配置され、平面的に見て細長状のリブ部を設けることによって、抜け止め部の長手方向端部が上方向に変形するのをリブ部により抑制することができるので、抜け止め部の長手方向の端部の上方向への変形に起因して嵌め込み部がスタンド部材の取り付け孔から抜けるのを抑制することができる。また、引っ張り部に、抜け止め部の長手方向に延びる細長状のリブ部を設けることによって、嵌め込み部をスタンド部材の取り付け孔に嵌め込む際に、その長手方向に延びる細長状のリブ部が把持しやすいので、引っ張り部がより引っ張りやすくなる。これにより、嵌め込み部をスタンド部材の取り付け孔に、より嵌め込みやすくすることができる。
【００１５】
上記第２の局面によるスタンド部材用滑り止めゴムにおいて、好ましくは、引っ張り部のリブ部は、抜け止め部の上面の長手方向の端部近傍にまで延びるように配置されている。このように構成すれば、抜け止め部の長手方向の端部の上方向への変形をより抑制することができるので、抜け止め部の長手方向の端部の上方向への変形に起因して嵌め込み部がスタンド部材の取り付け孔から抜けるのをより有効に抑制することができる。
【００１６】
上記第２の局面によるスタンド部材用滑り止めゴムにおいて、好ましくは、引っ張り部
は、平面的に見て、リブ部の側面から抜け止め部の短手方向に突出するように、リブ部と一体的に設けられた突出部をさらに含む。このように構成すれば、その突出部により、抜け止め部の短手方向の端部の上方向への変形も抑制することができるので、抜け止め部の短手方向の端部の上方向への変形に起因して嵌め込み部がスタンド部材の取り付け孔から抜けるのを抑制することができる。また、引っ張り部にリブ部のみならず突出部を設けることにより、その分、引っ張り部と抜け止め部との接合面積が増加するので、引っ張り部を上方向に引っ張ることにより嵌め込み部をスタンド部材の取り付け孔に嵌め込む際に、引っ張り部がちぎれるのをより抑制することができる。
【００１７】
上記第２の局面によるスタンド部材用滑り止めゴムにおいて、好ましくは、スタンド部材の取り付け孔には、当接部の上面の一部が収納される凹部が設けられており、嵌め込み部は、嵌め込み部の長手方向の中心線が、平面的に見て、当接部の長手方向の中心線からスタンド部材の表面側に所定の間隔を隔てた位置になるように配置されている。このように構成すれば、当接部の上面が見えるのを抑制することができる。この場合、嵌め込み部の長手方向の中心線を当接部の長手方向の中心線からスタンド部材の表面側に所定の間隔を隔てて配置することによって、嵌め込み部の外側面からスタンド部材の表面側の当接部の外側面までの距離を小さくすることができる。これにより、当接部が、嵌め込み部の中心線に対して当接部のスタンド部材の表面側の上面が下方に曲がる方向に変形する場合に、嵌め込み部の外側面から当接部の外側面までの部分の変形量を減少させることができる。その結果、スタンド部材の表面側から当接部のスタンド部材の表面側の上面が見えるのをより抑制することができる。
【考案を実施するための最良の形態】
【００１８】
以下、本考案の実施形態を図面に基づいて説明する。
【００１９】
図１は、本考案の一実施形態による液晶テレビジョンに取り付けられる滑り止めゴムが装着されたスタンド部材の背面図である。図２は、図１に示した一実施形態によるスタンド部材用の滑り止めゴムを備えた液晶テレビジョンの側面図である。図３〜図８は、図１に示した一実施形態によるスタンド部材用の滑り止めゴムの構造の詳細を説明するための図である。まず、図１〜図８を参照して、本考案の一実施形態によるスタンド部材用の滑り止めゴム１０の構造について説明する。
【００２０】
本考案の一実施形態による液晶テレビジョン５０は、図１および図２に示すように、滑り止めゴム１０が取り付けられたスタンド部材３０に支持されている。
【００２１】
また、液晶テレビジョン５０は、図２に示すように、フロントキャビネット５１と、フロントキャビネット５１に取り付けられる液晶表示ユニット５２と、フロントキャビネット５１とともに筐体を構成するリアキャビネット５３とにより構成されている。
【００２２】
また、スタンド部材３０は、図２に示すように、リアキャビネット５３の背面５３ａに取り付けられたベース部材３１と、ベース部材３１に回動可能に取り付けられた回動部材３２とを含んでいる。ベース部材３１には、図３に示すように、回動部材３２が回動可能に取り付けられる軸部３１ａと、リアキャビネット５３（図２参照）の背面５３ａにベース部材３１をねじ止めするためのねじ孔３１ｂとが設けられている。また、回動部材３２は、裏面に格子状に設けられた補強リブ部３２ａと、底部に設けられ、滑り止めゴム１０を取り付けるための取り付け孔３２ｂとを含んでいる。また、回動部材３２の取り付け孔３２ｂが形成される部分には、滑り止めゴム１０の当接部１４の上面１４ａの一部を収納するための凹部３２ｃが設けられている。
【００２３】
また、回動部材３２に取り付けられる滑り止めゴム１０は、図４に示すように、嵌め込
み部１１と、抜け止め部１２と、引っ張り部１３と、当接部１４とを含んでいる。また、嵌め込み部１１は、図７に示すように、回動部材３２の取り付け孔３２ｂに嵌め込まれる。また、嵌め込み部１１は、図６および図７に示すように、嵌め込み部１１の長手方向の中心線Ｌ１が当接部１４の長手方向の中心線Ｌ２から間隔Ｓを隔てた位置になるように配置されている。この嵌め込み部１１は、外側側面１１ａと、内側側面１１ｂとを有する。また、抜け止め部１２には、図８に示すように、滑り止めゴム１０に力Ｆ１が加わった際に、嵌め込み部１１がスタンド部材３０の取り付け孔３２ｂから抜けるのを防止する機能を有する。この抜け止め部１２は、嵌め込み部１１が回動部材３２の取り付け孔３２ｂに嵌め込まれる方向（図５のＺ１方向）に向かって、先細りするテーパー形状に形成されている。すなわち、滑り止めゴム１０の抜け止め部１２は、図５に示すように、台形形状を有する。また、抜け止め部１２の上面１２ａは、図６に示すように、長手方向（図６のＸ１方向）に延びるように形成された端部１２ｂを有する。また、引っ張り部１３は、嵌め込み部１１を回動部材３２の取り付け孔３２ｂに嵌め込む方向（図７および図８のＺ１方向）に引っ張るために設けられている。
【００２４】
ここで、本実施形態では、滑り止めゴム１０の引っ張り部１３には、図４に示すように、抜け止め部１２の端部１２ｂの近傍にまで延びるように配置され、平面的に見て細長状のリブ部１３ａが設けられている。また、引っ張り部１３のリブ部１３ａには、リブ部１３ａの両側面から抜け止め部１２の短手方向（図４のＹ１方向）に突出する突出部１３ｂが一体的に設けられている。
【００２５】
また、当接部１４は、図２および図７に示すように、設置面７０に当接することにより液晶テレビジョン５０を支持するスタンド部材３０の回動部材３２の位置ずれ（滑り）を抑制する機能を有する。この当接部１４は、図７に示すように、設置面７０に当接する当接面１４ａと、外側上面部１４ｂと、内側上面部１４ｃと、外側側面部１４ｄと、内側側面部１４ｅとを有する。
【００２６】
本実施形態では、上記のように、引っ張り部１３に、抜け止め部１２の長手方向（図４のＸ１方向）に延びるように配置され、平面的に見て細長状のリブ部１３ａを設けることによって、抜け止め部１２の長手方向（図４のＸ１方向）端部が上方向に変形するのをリブ部１３ａにより抑制することができるので、抜け止め部１２の長手方向（図４のＸ１方向）の端部の上方向への変形に起因して滑り止めゴム１０の嵌め込み部１１が回動部材３２の取り付け孔３２ｂから抜けるのを抑制することができる。また、引っ張り部１３に、抜け止め部１２の長手方向（図４のＸ１方向）に延びる細長状のリブ部１３ａを設けることによって、嵌め込み部１１を回動部材３２の取り付け孔３２ｂに嵌め込む際に、その長手方向（図４のＸ１方向）に延びる細長状のリブ部１３ａが把持しやすいので、引っ張り部１３がより引っ張りやすくなる。これにより、嵌め込み部１１を回動部材３２の取り付け孔３２ｂに、より嵌め込みやすくすることができる。
【００２７】
また、本実施形態では、引っ張り部１３のリブ部１３ａを、抜け止め部１２の上面１２ａの長手方向（図４のＸ１方向）の端部１２ｂの近傍にまで延びるように配置することによって、抜け止め部１２の長手方向（図４のＸ１方向）の端部１２ｂの上方向への変形をより抑制することができるので、抜け止め部１２の長手方向（図４のＸ１方向）の端部１２ｂの上方向への変形に起因して嵌め込み部１１が回動部材３２の取り付け孔３２ｂから抜けるのをより有効に抑制することができる。
【００２８】
また、本実施形態では、引っ張り部１３に、リブ部１３ａの両方の側面から抜け止め部１２の短手方向（図４のＹ１方向）に突出する突出部１３ｂを設けることによって、抜け止め部１２の短手方向（図４のＹ１方向）の端部の上方向への変形もこの突出部１３ｂにより抑制することができるので、抜け止め部１２の短手方向（図４のＹ１方向）の端部の
上方向への変形に起因して嵌め込み部１１がスタンド部材３０の取り付け孔３２ｂから抜けるのを抑制することができる。また、引っ張り部１３にリブ部１３ａのみならず突出部１３ｂを設けることにより、その分、引っ張り部１３と抜け止め部１２との接合面積が増加するので、引っ張り部１３を上方向に引っ張ることにより嵌め込み部１１を回動部材３２の取り付け孔３２ｂに嵌め込む際に、引っ張り部１３がちぎれるのをより抑制することができる。
【００２９】
また、本実施形態では、スタンド部材３０の取り付け孔３２ｂに、当接部１４の外側上面部１４ｂが収納される凹部３１ａを設けることによって、当接部１４の外側上面部１４ｂが見えるのを抑制することができる。この場合、嵌め込み部１１の中心線Ｌ１を当接部１４の長手方向の中心線Ｌ２からスタンド部材３０の表面側（外側）に間隔Ｓを隔てて配置することによって、嵌め込み部１１の外側面１１ａから当接部１４の外側面１４ｄまでの距離Ｄ（図７参照）を小さくすることができる。これにより、当接部１４が、嵌め込み部１１の中心線Ｌ１に対して当接部１４の外側上面１４ｂが下方に曲がる方向（図７のＲ方向）に変形する場合に、嵌め込み部１１の外側面１１ａから当接部１４の外側面１４ｄまでの距離Ｄの部分の変形量を減少させることができる。その結果、回動部材３２の外表面側から当接部１４の外側上面部１４ｂが見えるのをより抑制することができる。
【００３０】
なお、今回開示された実施形態は、すべての点で例示であって制限的なものではないと考えられるべきである。本考案の範囲は、上記した実施形態の説明ではなく実用新案登録請求の範囲によって示され、さらに実用新案登録請求の範囲と均等の意味および範囲内でのすべての変更が含まれる。
【００３１】
たとえば、上記実施形態では、本考案の滑り止めゴムが装着されるスタンド部材を液晶テレビジョンに用いた場合を示したが、本考案はこれに限らず、液晶テレビジョン以外のプラズマパネルディスプレイ（ＰＤＰ）などの表示装置のスタンド部材に用いてもよい。
【００３２】
また、上記実施形態では、滑り止めゴムの引っ張り部にリブ部および突出部の両方を設けた場合を示したが、本考案はこれに限らず、滑り止めゴムの引っ張り部にリブ部のみ設けてもよい。
【図面の簡単な説明】
【００３３】
【図１】本考案の一実施形態による液晶テレビジョンに取り付けられる滑り止めゴムを含むスタンド部材の背面図である。
【図２】図１に示した一実施形態によるスタンド部材用の滑り止めゴムを備えた液晶テレビジョンの側面図である。
【図３】図１に示した一実施形態によるスタンド部材用の滑り止めゴムが取り付けられたスタンド部材の背面図である。
【図４】図１に示した一実施形態によるスタンド部材用の滑り止めゴムを示した斜視図である。
【図５】図１に示した一実施形態によるスタンド部材用の滑り止めゴムを示した正面図である。
【図６】図１に示した一実施形態によるスタンド部材用の滑り止めゴムを示した平面図である。
【図７】図１に示した一実施形態によるスタンド部材用の滑り止めゴムを示した断面図である。
【図８】図１に示した一実施形態によるスタンド部材用の滑り止めゴムに力が加わった状態を説明するための正面図である。
【図９】従来の一例によるスタンド部材用の滑り止めゴムを備えた液晶テレビジョンの全体構成を示した側面図である。
【図１０】図９に示した従来の一例による液晶テレビジョンに取り付けられる滑り止めゴムが装着されたスタンド部材の背面図である。
【図１１】図９に示した従来の一例によるスタンド部材用の滑り止めゴムが取り付けられたスタンド部材の背面図である。
【図１２】図９に示した従来の一例によるスタンド部材用の滑り止めゴムを示した斜視図である。
【図１３】図９に示した従来の一例によるスタンド部材用の滑り止めゴムを示した正面図である。
【図１４】図９に示した従来の一例によるスタンド部材用の滑り止めゴムを示した平面図である。
【図１５】図９に示した従来の一例によるスタンド部材用の滑り止めゴムを示した断面図である。
【図１６】図９に示した従来の一例によるスタンド部材用の滑り止めゴムに力が加わった状態を説明するための正面図である。
【図１７】図９に示した従来の一例によるスタンド部材用の滑り止めゴムに力が加わった状態を説明するための正面図である。
【符号の説明】
【００３４】
１０  滑り止めゴム
１１  嵌め込み部
１２  抜け止め部  
１２ａ  上面
１２ｂ  端部
１３  引っ張り部  
１３ａ  リブ部
１３ｂ  突出部
１４  当接部
１４ｂ  外側上面部
３０  スタンド部材
３１  ベース部材
３２  回動部材
３２ｂ  取り付け孔
３２ｃ  凹部
【図１】
0003109834.tif 000003
【図２】
0003109834.tif 000004
【図３】
0003109834.tif 000005
【図４】
0003109834.tif 000006
【図５】
0003109834.tif 000007
【図６】
0003109834.tif 000008
【図７】
0003109834.tif 000009
【図８】
0003109834.tif 000010
【図９】
0003109834.tif 000011
【図１０】
0003109834.tif 000012
【図１１】
0003109834.tif 000013
【図１２】
0003109834.tif 000014
【図１３】
0003109834.tif 000015
【図１４】
0003109834.tif 000016
【図１５】
0003109834.tif 000017
【図１６】
0003109834.tif 000018
【図１７】
0003109834.tif 000019